(57)【要約】【課題】案内レールとスライダと転動体を備えた案内装置において、スライダ内に浸入した液体を素早く外部に排出できるようにする。【解決手段】スライダ本体２Ａは、戻し通路２４と外部を連通させるドレン通路２５を有する。ドレン通路２５は、戻し通路２４の下端部から斜め下方に延びて、スライダ本体２Ａの側面２６に至る。すなわち、ドレン通路２５の開口２５ａは、スライダ本体２Ａの側面２６の戻し通路２４より下側となる位置に形成されている。【選択図】図１
2013092216.tif 000002
【特許請求の範囲】
【請求項１】
案内レールと、スライダと、複数個の転動体と、を備え、
前記スライダは、前記案内レールの幅方向両側に配置される脚部と、両脚部の上部を連結する胴部とからなり、
前記案内レールおよびスライダは、互いに対向配置されて転動体の転動通路を形成する転動面を有し、
前記スライダは、スライダ本体と、その移動方向両端部に固定されたエンドキャップとを有し、
前記スライダ本体は前記転動面と前記転動体の戻し通路を有し、前記エンドキャップは前記戻し通路と前記転動通路とを連通させる方向転換路を有し、
前記転動通路、戻し通路、および方向転換路で転動体の循環経路が構成され、
前記循環経路を転動体が循環することにより、案内レールおよびスライダの一方が他方に対して相対的に案内レールに沿って運動する案内装置において、
前記スライダ本体は、前記戻し通路と外部を連通させるドレン通路を有し、
前記ドレン通路の開口は、前記スライダ本体の側面の前記戻し通路より下側となる位置および前記脚部の下面の少なくともいずれかに形成されていることを特徴とする案内装置。
【発明の詳細な説明】
【技術分野】
【０００１】
この発明は、案内レールとスライダと転動体を備えた案内装置に関する。
【背景技術】
【０００２】
案内レールとスライダと転動体を備えた案内装置としては、直線状に延びる所定長さの案内レールを有する直動案内装置と、無端状の案内レールを有する曲線運動案内装置が挙げられる。直動案内装置は、図６および７に示すように、案内レール１とスライダ（「ベアリング」とも称される）２と複数個のボール（転動体）３とを備えている。
案内レール１およびスライダ２は、互いに対向配置されて転動体３の転動通路を形成する転動溝１１，２１を有する。この例では、案内レール１の側面と上角部に転動溝１１が形成されており、側面に形成されている軌道溝を１１ａ、上角部に形成されている軌道溝を１１ｂで示す。
【０００３】
スライダ２は、案内レール１の幅方向両側に配置される脚部２２と、両脚部２２の上部を連結する胴部２３とからなる。案内レール１の長手方向で、スライダ２は、スライダ本体２Ａと、その移動方向両端部に固定されたエンドキャップ２Ｂおよびサイドシール２Ｃとからなる。サイドシール２Ｃは、案内レール１とスライダ２の隙間を塞いでスライダ２の内部に異物が侵入することを防止する。
【０００４】
スライダ２は、また、転動体３の戻し通路２４と、この戻し通路２４と前記転動通路とを連通させる方向転換路を有する。転動溝１１ａ，１１ｂと戻し通路２４はスライダ本体２Ａに形成されている。方向転換路はエンドキャップ２Ｂに形成されている。そして、前記転動通路、戻し通路、および方向転換路で転動体の循環経路が構成され、この循環経路内をボール３が循環することにより、案内レール１およびスライダ２の一方が他方に対して相対的に直線運動する。
【０００５】
このような直動案内装置を冷却水などの液体がかかる環境で使用すると、その液体が、スライダ２を構成する各部品の継ぎ目などからスライダ２内に浸入する恐れがある。しかし、これまでに、直動案内装置のスライダ２内に浸入した液体を外部に排出する機構についての提案はなされていない。
なお、特許文献１には、冷却水がかかる用途で使用されるころ軸受に関し、外輪部材に排水路を形成することで、非接触形密封手段から効果的に水抜きを行うことができる、と記載されている。
【先行技術文献】
【特許文献】
【０００６】
【特許文献１】特開２００１−１７３６６９号公報
【発明の概要】
【発明が解決しようとする課題】
【０００７】
この発明の課題は、案内レールとスライダと転動体を備えた案内装置において、スライダ内に浸入した液体を素早く外部に排出できるようにすることである。
【課題を解決するための手段】
【０００８】
上記課題を解決するために、この発明の案内装置は、下記の構成(1) 〜(5) を有する案内装置であって、下記の構成(6) を有することを特徴とする。
(1) 案内レールと、スライダと、複数個の転動体と、を備える。
(2) 前記スライダは、前記案内レールの幅方向両側に配置される脚部と、両脚部の上部を連結する胴部とからなる。
(3) 前記案内レールおよびスライダは、互いに対向配置されて転動体の転動通路を形成する転動面を有する。
(4) 前記スライダは、スライダ本体と、その移動方向両端部に固定されたエンドキャップとを有する。
(5) 前記スライダ本体は前記転動面と前記転動体の戻し通路を有し、前記エンドキャップは前記戻し通路と前記転動通路とを連通させる方向転換路を有し、前記転動通路、戻し通路、および方向転換路で転動体の循環経路が構成され、前記循環経路を転動体が循環することにより、案内レールおよびスライダの一方が他方に対して相対的に案内レールに沿って運動する。
(6) 前記スライダ本体は、前記戻し通路と外部を連通させるドレン通路を有し、前記ドレン通路の開口は、前記スライダ本体の側面の前記戻し通路より下側となる位置および前記脚部の下面の少なくともいずれかに形成されている。
【０００９】
前記構成(1) 〜(5) を有する案内装置を、冷却水などの液体がかかる環境で使用してスライダ内に液体が浸入した場合、その液体は前記戻し通路内に溜まることが多いが、この発明の案内装置によれば、前記戻し通路内に入った液体が前記ドレン通路から外部に排出される。
【発明の効果】
【００１０】
この発明の案内装置によれば、スライダ内に浸入した液体をドレン通路から素早く外部に排出できる。
【図面の簡単な説明】
【００１１】
【図１】第１および第２実施形態の直動案内装置を示す部分破断正面図であって、図２および図３のＡ−Ａ断面図に相当する。
【図２】第１実施形態の直動案内装置のスライダを示す側面図である。
【図３】第２実施形態の直動案内装置のスライダを示す側面図である。
【図４】第３実施形態の直動案内装置を示す部分破断正面図である。
【図５】第４実施形態の直動案内装置を示す部分破断正面図である。
【図６】直動案内装置の従来例を示す側面図である。
【図７】直動案内装置の従来例を示す部分破断正面図であって、断面部は図６のＡ−Ａ断面に相当する。
【発明を実施するための形態】
【００１２】
以下、この発明の実施形態について説明する。
［第１実施形態］
図１に示すように、この実施形態の直動案内装置では、スライダ本体２Ａに、戻し通路２４と外部を連通させるドレン通路２５が形成されている。これ以外の点は図６および７に示す従来例と同じである。
戻し通路２４は、スライダ本体２Ａの両脚部２２に２列ずつ合計４列形成されている。これら全ての戻し通路２４にドレン通路２５が設けられている。ドレン通路２５は、各戻し通路２４とスライダ本体２Ａの外部を連通させる円柱状の穴である。各戻し通路２４用のドレン通路２５は、図２に示すように、スライダ本体２Ａの移動方向に沿って複数個、等間隔で形成されている。
【００１３】
全てのドレン通路２５は、各戻し通路２４の下端部から斜め下方に延びて、スライダ本体２Ａの側面２６に至っている。すなわち、ドレン通路２５の開口２５ａは、スライダ本体２Ａの側面２６の戻し通路２４より下側となる位置に形成されている。
ドレン通路２５の形成は、スライダ本体２Ａに戻し通路２４を切削加工で形成した後、スライダ本体２Ａの側面２６から切削加工することで行う。
【００１４】
この実施形態の直動案内装置によれば、冷却水などの液体がかかる環境で使用して液体がスライダ２内に浸入した場合に、戻し通路２４内に入った液体がドレン通路２５から外部に排出される。そのため、スライダ２内に浸入した液体をドレン通路２５から素早く外部に排出できる。
したがって、スライダ２内に液体が溜まった状態で直動案内装置を停止したままにすることにより生じる不具合、例えば、溜まった液体により鉄鋼製の戻し通路２４およびボール（転動体）３に腐食が生じたり、液体が潤滑剤に混入された状態となって潤滑性能が低下したりすることが防止できる。
【００１５】
［第２実施形態］
図３は、この実施形態の直動案内装置を構成するスライダの側面図である。図３のＡ−Ａ断面図は図１と同じである。図３に示すように、ドレン通路２５の断面形状および開口２５ａの形状が長穴である。また、各戻し通路２４用に、スライダ本体２Ａの移動方向に沿って二個のドレン通路２５が形成されている。これらの点以外は第１実施形態と同じである。
この実施形態の直動案内装置によれば、第１実施形態と同じ効果が得られるとともに、第１実施形態と比較して、大きな断面形状および開口２５ａのドレン通路２５が少ない数で形成されていることで、製造コストが低減できる効果もある。
【００１６】
［第３実施形態］
図４は、この実施形態の直動案内装置を示す部分破断正面図である。
上側の戻し通路２４には、第１実施形態と同じく、戻し通路２４の下端部から斜め下方に延びて、スライダ本体２Ａの側面２６に至るドレン通路２５が形成されている。下側の戻し通路２４は、戻し通路２４の下端部から真下に延びて、スライダ本体２Ａの下面２７に至るドレン通路２５が形成されている。すなわち、ドレン通路２５の開口２５ａがスライダ本体２Ａの下面２７に形成されている。
【００１７】
［第４実施形態］
図５は、この実施形態の直動案内装置を示す部分破断正面図である。
この例では、右側の脚部２２で、上側の戻し通路２４には、第１実施形態と同じく、戻し通路２４の下端部から斜め下方に延びて、スライダ本体２Ａの側面２６に至るドレン通路２５が形成されている。下側の戻し通路２４は、戻し通路２４の下端部から真下に延びて、スライダ本体２Ａの下面２７に至るドレン通路２５が形成されている。すなわち、ドレン通路２５の開口２５ａがスライダ本体２Ａの下面２７に形成されている。
【００１８】
左側の脚部２２では、上側および下側の戻し通路２４の両方で、第１実施形態と同じく、戻し通路２４の下端部から斜め下方に延びて、スライダ本体２Ａの側面２６に至るドレン通路２５が形成されている。
このように左右の脚部２２でドレン通路２５を非対称に設けてもよいし、対称に設けてもよい。
【００１９】
なお、上記各実施形態では、転動体がボール３の例について説明しているが、この発明は、転動体がころの場合でも適用できる。
また、上記各実施形態では、戻し通路２４が、スライダ本体２Ａの両脚部２２に２列ずつ合計４列形成されている例について説明しているが、この発明は、循環経路が４路以外の案内装置にも適用できる。
【符号の説明】
【００２０】
１  案内レール
１１ａ，１１ｂ  案内レールの転動溝（転動面）
２  スライダ
２Ａ  スライダ本体
２Ｂ  エンドキャップ
２Ｃ  サイドシール
２１  スライダの転動溝（転動面）
２２  脚部
２３  胴部
２４  戻し通路
２５  ドレン通路
２５ａ  ドレン通路の開口
２６  スライダ本体の側面
２７  スライダ本体の下面
３  ボール（転動体）
【図１】
2013092216.tif 000003
【図２】
2013092216.tif 000004
【図３】
2013092216.tif 000005
【図４】
2013092216.tif 000006
【図５】
2013092216.tif 000007
【図６】
2013092216.tif 000008
【図７】
2013092216.tif 000009